(57)【要約】【課題】支柱の間に取付けられた塀用パネルにおいて、その塀用パネルの上部に笠木を取付ける際、支柱との間に不必要な隙間を生じさせることなく、笠木を取付けることができる笠木の取付構造を提供する。【解決手段】適宜間隔をおいて立設された支柱１の間に塀用パネル２が取付られ、塀用パネル２には、その上部端を覆う笠木３が取付けられ、笠木３の両端部にはカバー材４が設けられると共にカバー材４の先端部がそれぞれ支柱１の側面に向けて突出され、もって笠木３と支柱１との隙間が覆われるように構成する。【選択図】        図１
2008063828.tif 000002
【特許請求の範囲】
【請求項１】
適宜間隔をおいて立設された支柱の間に塀用パネルが取付けられ、前記塀用パネルには、その上部端を覆う笠木が取付けられ、該笠木の両端部にはカバー材が設けられると共に該カバー材の先端部がそれぞれ支柱の側面に向けて突出され、もって笠木と支柱との隙間が覆われていることを特徴とする笠木の取付構造。
【請求項２】
前記塀用パネルの上部には、長手方向に向けて入口部より奥部が幅広となされた溝部が形成され、笠木の下部には前記溝部と係合する突条が長手方向に形成され、該溝部に突条が長手方向に摺動可能となされていることを特徴とする請求項１に記載の笠木の取付構造。
【発明の詳細な説明】
【技術分野】
【０００１】
本発明は、住宅やマンション等の敷地境界部や隣地境界部に沿って設けられる外構塀の塀用パネルにおいて、塀用パネルの上端部を隠蔽するための笠木の取付構造に関するものである。
【背景技術】
【０００２】
一般に、住宅や工場等の敷地の境界部に沿って設けられる外構塀は、所定の間隔で支柱を立設し、その間に塀用パネルを取付けるものが知られている。そして、外構塀の美観を高めるために、塀用パネルの上部に化粧用の笠木を取付けるものがある。この笠木の取付方法としては、支柱間に横桟を架設し、この横桟に笠木を取付けるもの、塀用パネルの上部に直接取付けるもの等、施工性、意匠性の面から様々なものが提案されている。
【０００３】
例えば、支柱間に塀パネルを取付け、塀パネルの上の横枠に塀パネルキャップを被せて取付け、支柱キャップの両側片に内側に向けて係止突片を突設し、支柱キャップにより支柱の上端部を覆うと共に支柱キャップの端部を塀パネルキャップの端部に重複し、係止突片を塀パネルキャップと塀パネルの上の横枠の上面との間に挟持してなる塀のキャップの取付構造が提案されている。
【０００４】
このキャップの取付構造は、塀パネルキャップを塀パネルの上の横枠に取付けることにより同時に支柱キャップを取付けることができて取付けが簡単となり、また、塀パネルキャップの端部と支柱キャップの端部との間に隙間が発生しにくく、又、外観に優れたものである（例えば、特許文献１参照。）。
【０００５】
【特許文献１】実開平５−３０３６６号公報
【発明の開示】
【発明が解決しようとする課題】
【０００６】
しかしながら、前記のキャップの取付構造には次のような問題点があった。すなわち、支柱キャップは、支柱の上端部、及び支柱の両側に取付けられた塀パネルキャップの端部を覆うものであるため、加工誤差や施工誤差により、支柱の上端部と塀パネルキャップの高さが異なるおそれがあり、支柱キャップや塀パネルキャップが一方の塀パネル側に傾いて、塀パネルと支柱との間に隙間が生じたり、支柱キャップと塀パネルとの接合部に無理な力が生じて変形等の不具合が起こったりする可能性があり、又、設置現場ではこのような誤差の解消及び調整作業は煩わしく、その点が問題であった。
【０００７】
本発明は、前記の如き問題点を解消し、支柱の間に取付けられた塀用パネルにおいて、その塀用パネルの上部に笠木を取付ける際、加工誤差や施工誤差が生じても、支柱との間に不必要な隙間を生じさせることなく、笠木を取付けることができる笠木の取付構造を提供せんとするものである。
【課題を解決するための手段】
【０００８】
上記目的を達成するために、本発明は次のような構成としている。すなわちこの発明に係る笠木の取付構造は、適宜間隔をおいて立設された支柱の間に塀用パネルが取付けられ、前記塀用パネルには、その上部端を覆う笠木が取付けられ、該笠木の両端部にはカバー材が設けられると共に該カバー材の先端部がそれぞれ支柱の側面に向けて突出され、もって笠木と支柱との隙間が覆われていることを特徴とするものである。
【発明の効果】
【０００９】
本発明によれば、塀用パネルには、その上部端を隠蔽する笠木が取付けられ、該笠木の両端部にはカバー材が設けられると共に該カバー材の先端部がそれぞれ支柱の側面に向けて突出されているので、加工誤差や施工誤差により、支柱の間隔に誤差が生じても、笠木が支柱の間に取付けられる長さであれば、その長さを高精度に調整する必要はなく、塀用パネルに笠木を取付け、カバー材によって笠木と支柱との隙間を覆うことができるため、施工作業が容易となる。
【００１０】
本発明において、前記塀用パネルの上部には、長手方向に向けて開口部より奥部が幅広となされた溝部が形成され、笠木の下部には前記溝部と係合する突条が長手方向に形成され、該溝部と突条とが長手方向に摺動可能となされれば、笠木は塀用パネルに対して、上方向或いは前後方向には不用意に外れにくくなる。
【発明を実施するための最良の形態】
【００１１】
次に、本発明を実施するための最良の形態について図面を参照し、具体的に説明する。
【００１２】
すなわち、図１は本発明に係る笠木の取付構造の実施の一形態を示す正面図、図２は図１の塀用パネルの正面図、図３は図１のＡ−Ａ部における要部拡大断面図、図４は図３の主要部の説明図、図５は図１のＢ−Ｂ部における要部拡大断面図、図６は図１の主要部の拡大分解斜視図、図７は図１の主要部の拡大斜視図、図８は図３の変形を示す拡大断面図である。
【００１３】
図面において、１は適宜間隔をおいて立設された支柱、２は支柱１の間に取付けられた塀用パネル、３は塀用パネル２の上端部に取付けられた笠木、４は笠木３の両端部に取付けられ支柱の側面に向けて突出されたカバー材であり、本形態に係る笠木の取付構造は、支柱１、塀用パネル２、笠木３、及びカバー材４から主に構成されたものである。
【００１４】
支柱１は、角形柱であり、図１に示すように、その上端部にはキャップ１１が設けられ、支柱１の上縁を隠蔽し、雨水等が入らないようになされている。
【００１５】
塀用パネル２は、図１及び図２に示すように、上枠５１、下枠５２、２個の縦枠５３とからなる枠体５を備え、枠体５にパネル本体６が設けられたものである。本形態では、２個のパネル本体６が間隔をあけて設けられ、その間隔に吸音材７が挿入され、吸音・遮音効果を高めることができるが、吸音材７を用いない形態でもよく、パネル本体６を１個のみ用いた形態でもよい。
【００１６】
パネル本体６は、本形態では、熱可塑性合成樹脂から作製された芯材の両面に金属板を貼着させた積層体であるが、積層体の形態に限定されるものではなく、例えば化粧板、或いは芯材を単独で用いる形態でもよく、芯材の一方のみに金属板が貼着されたものでもよく、ポリカーボネートやアクリル樹脂等からなる透光材料からなる形態でもよい。
【００１７】
縦枠５３は、図２に示すように、前後に間隔をあけて配置された２個のパネル本体１の側端部に相対向して取付けられたものであり、図５に示すように、縦枠５３の基板５３ａには、パネル本体６の側端部がそれぞれ挿入される溝部５３ｂが長手方向に向かって立設されている。
【００１８】
上枠５１は、図３及び図４に示すように、基部５１ａの両端部から下方に向かってそれぞれ延出部５１ｂが形成されると共に、この延出部５１ｂの先端には、パネル本体１の上端部が挿入される溝部５１ｃが長手方向に向かってそれぞれ下向きに開口されて形成されている。そして、溝部５１ｃの一方の内側壁５１ｄと他方の内側壁５１ｄとが接続部５１ｅにより接続されている。
【００１９】
この構造により、上枠５１は、延出部５１ｂ、接続部５１ｅを形成しない場合に比べて、その剛性を効果的に高めることができるので、上枠５１を水平方向に設置した際に、撓みが生じにくくなる。
【００２０】
上枠５１、下枠５２、及び縦枠５３は、一般にはアルミニウムや合成樹脂を押出成型して得られる長尺の型材を適宜長さに切断した部材からなるものであるが、アルミニウム以外の金属、または金属や無機材料と合成樹脂との複合材料、例えば合成樹脂に金属フィルムをラミネートしたもの、表面に着色がなされたもの、装飾性を向上させるために表面に凹凸が形成されたもの等、必要な強度に応じて、適宜使用できる。
【００２１】
次に塀用パネル２に対する笠木３の取付構造について説明する。具体的には、笠木３と上枠５１との接合構造について説明する。先ず、笠木３は、図３及び図４に示すように、上部が断面略円弧状となされ、その両端部から下方に向けて板状に延設された断面略コ字状の長尺体であり、雨水が笠木３の上に溜まらず、流れ落ちるようになされている。またその内壁面には、長手方向に亘って２個の係合部３１が相対向して突出されている。続いて、上枠５１の上面には長手方向に亘って溝部５４が設けられて、この溝部５４に笠木３の係合部３１が係合されて、笠木３が塀用パネル２の上端部に取付けられる。この構造により、上枠５１に対して笠木３は、その幅方向には不用意に外れにくくなる。
【００２２】
笠木３と上枠５１との接合方法は、上枠５１の上方から、笠木３の係合部３１を上枠５１の溝部５４に係合させる方法でもよいが、本形態では、溝部５４は、長手方向に向けて入口部より奥部が幅広となされた断面台形状に形成され、係合部３１は、その先端から下方に向けて幅広で、溝部５４の形状に対応した断面台形状の係合突部３２が突出されている。そして、係合突部３２が、上枠５１の一方の端部から摺動可能に挿入され係合される。この構造により、上枠５１に対して笠木３は上方向にも不用意に外れにくくなる。尚、図８は、この構造の変形を示すものである。このように。笠木３に溝部３３を設け、上枠５１に係合部５５を設けた形態でも同様な効果を奏することができる。
【００２３】
笠木３は、係合部３１の突出部から下方に向かってスカート部３４が延設されている。この構造により、係合部３１と溝部５４との係合箇所が外部から見えず、外観を向上させることができる。又、笠木３は、上枠５１に取付けられた際、スカート部３４の内側面と対向する上枠５１の外側面に切欠部５６を有し、笠木３の外側面と切欠部５６より下方の上枠５１の外側面とが略面一となされている。この構造により、笠木３は、その幅方向には不用意に外れにくくなると共に、笠木３と上枠５１とが一体感が高まり、美観を奏することができる。そして、スカート部３４には、長手方向に向けて複数個の突条３５が突設されている。これにより、装飾性を高めることができる。
【００２４】
笠木３のスカート部３４と、相対する上枠５１の切欠部５６の側壁面との間には隙間が形成されている。これにより、笠木３を上枠５１の端部から取付ける際に、スカート部３４と切欠部５５の側壁面とが不用意に接触せず、取付けやすくなる。
【００２５】
次に、塀用パネル２の取付構造について説明する。先ず、図１に示すように、塀用パネル２は、適宜間隔をあけて立設された支柱１の間に設けられている。支柱１に対する塀用パネル１の取付方法は特に限定されるものではないが、本形態では、図５に示すように、塀用パネル２は、縦枠５３を介して支柱１に取付けられている。すなわち、縦枠５３は、支柱１の側面に対向する外側面に、支柱１に向かって挟持片５３ｃが上下方向に亘って突出され、この挟持片５３ｃは、支柱１の側面に設けられた取付部材１２の前面側に配置されると共に、挟持片５３ｃの前面側はカバー片１３が配置され、取付部材１２及びカバー片１３によって挟持されると共に、ボルトとナットにより締結されている。
【００２６】
この構造により、塀用パネル２は支柱１の前面側から取付けることが可能となり、又、塀用パネル２と支柱１との取付箇所は、取付部材１２及びカバー片１３により覆われて、美観を奏するものとなる。
【００２７】
次に、カバー材４の取付構造について説明する。先ず、図６に示すように、カバー材４は、笠木３の外形と同様な形態であり、上部が断面略円弧状となされ、その両端部から下方に向けて板状に延設された断面略コ字状の長尺体であり、その長さは、支柱１と笠木３の先端部との離間長さより充分長くなされている。そして、カバー材４は、笠木３の両端部にそれぞれ取付けられると共に、カバー材４の先端部がそれぞれ支柱１の側面に向けて突出され、支柱１と笠木３との隙間を覆うものである。尚、カバー材４の先端部と支柱１との隙間は、外観上その隙間が目立ち難く、又、子供の悪戯等を考慮し子供の指先が入り難い、３ｍｍ以下程度とするのが好ましく、更には、ほとんど隙間のなく、カバー材４の先端部と支柱１とがほぼ当接した状態がより好ましい。
【００２８】
この構造により、加工誤差や施工誤差により、支柱１の間隔に誤差が生じても、笠木３が支柱１の間に取付けられる長さであれば、その長さを高精度に調整する必要はなく、塀用パネル２に笠木３を取付け、カバー材４によって笠木３と支柱１との隙間を覆うことができるため、施工作業が容易となる。又、加工誤差や施工誤差により、支柱１を挟んで隣接する塀用パネル２の設置高さに差が生じた場合、それぞれの塀用パネルに取付けられた笠木３にも、その設置高さに差が生じるが、それぞれの笠木３は、支柱１により分断された形態となるため、外観上は笠木３の高さの差が目立ち難くなる。
【００２９】
カバー材４は、笠木３の外形とカバー材４の内形とがほぼ一致するように形成されると共に、その外側面に笠木３と同様に長手方向に向けて複数個の突条４１が突設されている。これにより、笠木３の下面とカバー材４の下面とが略面一となされ、又、外側面の方から見た場合、突条３５と突条４１とがほぼ連続的に形成されることになるので、笠木３とカバー材４との一体感が高まり、より美観を奏する。
【００３０】
笠木３とカバー材４との接合方法は、本形態では、カバー材４にネジ孔４２が形成され、ここからドリルネジ４３を笠木３に向けて螺合させるものである。予め、笠木３にネジ孔を設け、更にカバー材４に長孔を設け、ドリルネジ４３で螺合する形態でもよいが、笠木３にネジ孔を設けず、ドリルネジ４３を笠木３に直接螺合させた方が、加工誤差や施工誤差等により支柱１の間隔に誤差が生じても、その誤差を吸収しやすい。そして、図８に示すように、笠木３の頂部に厚肉部３６を設けてもよい。これにより、ドリルネジ４３の螺合する際に、笠木３が変形しにくくなり、又螺合強度を高めることができる。
【００３１】
カバー材４は、図８に示すように、その横幅が、支柱１と塀用パネル２との隙間を覆うカバー片１３と、取付部材１２の背面側の外側壁（図示せず）の横幅とほぼ一致している。これにより、カバー材４と取付部材１２の外側塀、及びカバー片１３との一体感が高まり、より美観を奏する。
【００３２】
笠木３、及びカバー材４は、一般にはアルミニウムや合成樹脂を押出成型して得られる長尺の型材を適宜長さに切断した部材からなるものであるが、アルミニウム以外の金属、または金属や無機材料と合成樹脂との複合材料等、必要な強度や剛性に応じて適宜使用できる。
【産業上の利用可能性】
【００３３】
本発明によれば、支柱の間に取付けられた塀用パネルにおいて、その塀用パネルの上部に笠木を取付ける際、支柱との間に不必要な隙間を生じさせることなく、笠木を取付けることができるので、支柱を介して直線上に塀用パネルが取付けられる一般的な外構塀に好適に利用できる。又、外構塀において、その角部や端部においても、その箇所に応じた特別の部品は必要なく同様に取付けることができるので、外構塀の角部や端部の箇所にも好適に利用できる。
【図面の簡単な説明】
【００３４】
【図１】本発明に係る笠木の取付構造の実施の一形態を示す正面図である。
【図２】図１の塀用パネルの正面図である。
【図３】図１のＡ−Ａ部における要部拡大断面図である。
【図４】図３の主要部の説明図である。
【図５】図１のＢ−Ｂ部における要部拡大断面図である。
【図６】図１の主要部の説明図である。
【図７】図１の主要部の拡大斜視図である。
【図８】図３の変形を示す拡大断面図である。
【符号の説明】
【００３５】
１    支柱
１２  取付部材
１３  カバー片
２    塀用パネル
３    笠木
３１  係合部
３２  係合突部
３３  スカート部
４    カバー材
５    枠体
５１  上枠
５３  縦枠
５４  溝部
６    パネル本体
【図１】
2008063828.tif 000003
【図２】
2008063828.tif 000004
【図３】
2008063828.tif 000005
【図４】
2008063828.tif 000006
【図５】
2008063828.tif 000007
【図６】
2008063828.tif 000008
【図７】
2008063828.tif 000009
【図８】
2008063828.tif 000010